(57)【要約】【課題】各種の固体に芳香成分を保持させて空中に放出させる芳香体に関し、消費期間を延長する。【解決手段】天然オイルを混合した芳香液に、エタノールおよび水を含ませ、エタノールと水との質量比（エタノール／水）を、２以上、１０以下とする。このような組成を有する芳香液を多孔性の固体に添加する。または、天然オイル、エタノールおよび水を含む芳香液を軽石に添加して保持させる。これにより、芳香体の消費期間を延長することができる。【選択図】なし【特許請求の範囲】
【請求項１】
芳香成分を有する天然オイルが混合された芳香液であって、
エタノールおよび水を含み、
エタノールと水との質量比（エタノール／水）は、２以上、１０以下であり、
前記芳香成分を多孔性の固体に保持させるため前記多孔性の固体に添加されることを特徴とする芳香液。
【請求項２】
エタノールおよび水を含む混合液であって、
エタノールと水との質量比（エタノール／水）は、２以上、１０以下であり、
天然オイルが有する芳香成分を多孔性の固体に保持させるために用いられ、
前記天然オイルを前記混合液に混合して得られる芳香液を前記多孔性の固体に添加することで、前記芳香成分を前記多孔性の固体に保持させることを特徴とする混合液。
【請求項３】
芳香成分を有する天然オイル、エタノール、および、水を含む芳香液を軽石に添加することにより、前記芳香成分を軽石に保持させた芳香体。
【請求項４】
多孔性の固体に天然オイルの芳香成分を保持させた芳香体の製造方法において、
前記天然オイル、エタノール、および、水を含む芳香液を前記多孔性の固体に添加し、
前記芳香液におけるエタノールと水との質量比（エタノール／水）は、２以上、１０以下であることを特徴とする芳香体の製造方法。
【請求項５】
軽石に天然オイルの芳香成分を保持させた芳香体の製造方法において、
前記天然オイル、エタノール、および、水を含む芳香液を軽石に添加することを特徴とする芳香体の製造方法。
【発明の詳細な説明】
【技術分野】
【０００１】
本開示は、主に芳香体の製造に用いられる芳香液および混合液に関する。
【背景技術】
【０００２】
従来より、車両や建物等の室内の臭いの緩和や、個人の身だしなみとして、各種の固体に芳香成分を保持させて空中に放出させる芳香体が利用されている（例えば、特許文献１〜３参照）。
近年、このような用途に使用される芳香成分として、天然オイルに含まれるものがリラクゼーションやストレス解消等の観点で注目されるようになっている。
なお、天然オイルとは、植物に由来する揮発性の油であり、花、茎、幹、根、樹脂、果皮等を水蒸気蒸留、圧搾等することで得られ、植物の種類ごとに、また、植物の部位ごとに特有の芳香を持つ。
【０００３】
ところで、このような芳香体は、固体から放出される芳香成分が少なくなると芳香が弱くなるので、芳香を楽しめる消費期間には限度がある。そこで、各種の多孔性の固体に芳香成分を浸透させることで、固体からの芳香成分の放出期間を長くして芳香体の消費期間を延長する技術が公知となっている（例えば、特許文献３参照。）。
【先行技術文献】
【特許文献】
【０００４】
【特許文献１】実開昭６３−１１６４００号公報
【特許文献２】実開平６−６４２６４号公報
【特許文献３】特開平９−２９４８０６号公報
【発明の概要】
【発明が解決しようとする課題】
【０００５】
しかし、天然オイルによるリラクゼーションやストレス解消の要求は、近年のストレス社会を反映して高まる一方であり、芳香体の消費期間について更なる延長が望まれている。
【課題を解決するための手段】
【０００６】
本開示の芳香液は、芳香成分を有する天然オイルが混合されたものであり、エタノールおよび水を含み、エタノールと水との質量比（エタノール／水）は、２以上、１０以下である。そして、芳香成分を多孔性の固体に保持させるため多孔性の固体に添加される。
また、本開示の混合液は、エタノールおよび水を含み、エタノールと水との質量比（エタノール／水）は、２以上、１０以下であり、天然オイルが有する芳香成分を多孔性の固体に保持させるために用いられる。そして、天然オイルを混合液に混合して得られる芳香液を多孔性の固体に添加することで、芳香成分を多孔性の固体に保持させる。
さらに、本開示の芳香体は、芳香成分を有する天然オイル、エタノール、および、水を含む芳香液を軽石に添加することにより、芳香成分を軽石に保持させたものである。
【０００７】
本開示の芳香体の製造方法によれば、芳香体は、多孔性の固体に天然オイルの芳香成分を保持させたものである。そして、本開示の芳香体の製造方法によれば、天然オイル、エタノール、および、水を含む芳香液を多孔性の固体に添加し、芳香液におけるエタノールと水との質量比（エタノール／水）は、２以上、１０以下である。
本開示の芳香体の製造方法によれば、芳香体は、軽石に天然オイルの芳香成分を保持させたものである。そして、本開示の芳香体の製造方法によれば、天然オイル、エタノール、および、水を含む芳香液を軽石に添加する。
これにより、固体からの芳香成分の放出期間を長くして芳香体の消費期間を更に延長することができる。
【発明を実施するための形態】
【０００８】
実施形態の芳香液は、芳香成分を有する天然オイルが混合されたものであり、エタノールおよび水を含み、エタノールと水との質量比（エタノール／水）は、２以上、１０以下である。そして、芳香成分を多孔性の固体（以下、多孔体と呼ぶことがある。）に保持させるため多孔体に添加される。
【０００９】
また、実施形態の混合液は、エタノールおよび水を含み、エタノールと水との質量比（エタノール／水）は、２以上、１０以下であり、天然オイルが有する芳香成分を多孔性の固体に保持させるために用いられる。そして、天然オイルを混合液に混合して得られる芳香液を多孔性の固体に添加することで、芳香成分を多孔性の固体に保持させる。
【００１０】
さらに、実施形態の芳香体の製造方法によれば、芳香体は、多孔体に天然オイルの芳香成分を保持させたものである。そして、実施形態の芳香体の製造方法によれば、天然オイル、エタノール、および、水を含む芳香液を多孔体に添加し、芳香液におけるエタノールと水との質量比（エタノール／水）は、２以上、１０以下である。
【００１１】
これにより、固体からの芳香成分の放出期間を長くして芳香体の消費期間を更に延長することができる。ここで、芳香体の消費期間を更に延長することができるメカニズムは定かではないが、次のように推定する。
すなわち、天然オイルの油成分や芳香成分は、エタノールとの親和性が高いと考えられる。このため、エタノールが多孔体の内部に浸透するのに伴って、芳香成分も多孔体の内部まで浸透するので、結果として、エタノールがない場合に比べ、多孔体の内部まで芳香成分が浸透しやすくなる。これにより、多孔体における芳香成分の保持能力が大きくなって、消費期間が長くなるものと考えられる。
【００１２】
なお、天然オイルには、例えば、ラベンダー、イランイラン、ベンゾイン、ロータス、ローズ、バニラ、クローブ、ミルラ、ゾラベッツ、ジャスミン、ヤロウ、パチュリー、サンダルウッド、ネロリ、ペパーミント、ティートゥリー、ユーカリ、プチグレイン、ローズマリー、シナモン、カモシールローマン、カモシールジャーマン、ゼラニウム、フェンネル、マジョラム、レモングラス、メリッサ、クラリセージ、シダーウッド、ローズウッド、フランキンセンス、ジュニパー、ユズ、グレープフルーツ、レモン、オレンジ、ベルガモット、ダンジェリン等を例示することができる。
【００１３】
また、多孔体には、天然物または工業生産物に関わらず、様々な物を使用することができ、軽石、活性炭、木炭、煉瓦、素焼き、多孔質セラミック、多孔質合成樹脂、多孔質金属、スポンジ、木質成形体等を例示することができる。
【００１４】
また、エタノールと水との質量比（エタノール／水）は、２以上、１０以下が好ましく、より好ましくは、２以上、７以下が好ましい。
エタノールと水との質量比（エタノール／水）が２より小さくなると、消費期間の延長効果が小さくなる。つまり、エタノールの含有率の低減によって、芳香成分の多孔体内部への浸透能力が低下するものと考えられる。
一方、質量比（エタノール／水）が１０より大きくても、エタノールの蒸発に伴う多孔体の乾燥が著しくなり、消費期間の延長効果が小さくなる。つまり、水の含有率低下により、エタノールの蒸発が促進されてしまい、逆に芳香成分の多孔体内部への浸透能力が低下するものと考えられる。
【００１５】
また、本開示の芳香体は、天然オイル、エタノール、および、水を含む芳香液を軽石に添加することにより、芳香成分を軽石に保持させたものである。
さらに、本開示の芳香体の製造方法によれば、芳香体は、軽石に天然オイルの芳香成分を保持させたものである。そして、本開示の芳香体の製造方法によれば、天然オイル、エタノール、および、水を含む芳香液を軽石に添加する。
【００１６】
これにより、固体からの芳香成分の放出期間を長くして芳香体の消費期間を更に延長することができる。ここで、軽石は、多数の孔が存在する天然の多孔体であり、軽石における孔の長さや径の分布は極めて大きい。このため、芳香成分の保持能力に関し、孔ごとの分布が極めて大きいものと考えられ、結果として、軽石に保持された芳香成分は、長期間に渡って放出され、芳香体の消費期間を更に延長することができるものと考えられる。
【００１７】
また、多孔体として市販の園芸用の軽石を用いる場合、軽石を石鹸等により洗浄したり、超音波洗浄により洗浄したりして使用するのが好ましい。
以下、本開示を実施するための形態を実施例１〜４７および比較例１〜４の芳香体により説明する。なお、本開示は、以下の実施例１〜４７に限定されるものではなく、本願発明の要旨の範囲内で適宜変更して実施することができる。
【実施例】
【００１８】
〔実施例１〜１０および比較例１〜６〕
まず、実施例１〜１０および比較例１〜６の芳香体について説明する。
実施例１〜１０および比較例１〜６の芳香体は、天然オイルとしてラベンダーを採用し、ラベンダーの芳香成分を各種の多孔体に保持させたものである。
【００１９】
続いて、実施例１〜１０および比較例１〜６の芳香体の製造に用いた芳香液について説明する。
芳香液は、エタノールおよび水の混合液に天然オイルを滴下して混合することで調整した。より具体的に、混合液は、市販の９９．５ｖｏｌ％のエタノール水溶液と、市販の精製水とを混合することで調整し、調整後の混合液１０ｃｃに、市販の天然オイル約０．５ｃｃを滴下して混合することで芳香液を調整した。なお、天然オイルは、上記のようにラベンダーである。
【００２０】
表１の第１行に、調整した芳香液におけるエタノールと水との質量比（エタノールの質量／水の質量）を示した。
〔表１〕
2019092644.tif 000002
【００２１】
なお、括弧内の比率は、９９．５ｖｏｌ％のエタノール水溶液と精製水との体積比（９９．５ｖｏｌ％のエタノール水溶液の体積／精製水の体積）である。そして、実施例１、２の芳香体を質量比３．１の芳香液を使用して製造し、実施例３、４、７〜１０の芳香体を質量比６．８の芳香液を使用して製造し、実施例５、６および比較例１〜４の芳香体を質量比１．８の芳香液を使用して製造し、比較例５、６の芳香体を質量比１３．６の芳香液を使用して製造した。
【００２２】
次に、実施例１〜１０および比較例１〜６の芳香体の製造に用いた多孔体について説明する。
表１の第１列に多孔体の名称を示した。多孔体として採用した物は、市販の園芸用の軽石、市販の入浴用の軽石、市販の木炭、市販の素焼き、市販の煉瓦、および、市販の木片である。
【００２３】
より具体的に、実施例１、３、５および比較例５の多孔体には、市販の園芸用の軽石を使用した。また、実施例２、４、６および比較例６の多孔体には、市販の入浴用の軽石を使用した。また、実施例７および比較例１の多孔体には、市販の木炭を使用した。また、実施例８および比較例２の多孔体には、市販の素焼きを使用した。また、実施例９および比較例３の多孔体には、市販の煉瓦を使用した。さらに、実施例１０および比較例４の多孔体には、市販の木片を使用した。なお、市販の園芸用の軽石を用いる場合、軽石を石鹸により洗浄して使用した。
【００２４】
そして、実施例１〜１０および比較例１〜６の芳香体は、以下のようにして製造した。
まず、実施例１の芳香体は、園芸用の軽石に質量比３．１の芳香液を滴下することで製造した。実施例３の芳香体は、園芸用の軽石に質量比６．８の芳香液を滴下することで製造した。実施例５の芳香体は、園芸用の軽石に質量比１．８の芳香液を滴下することで製造した。比較例５の芳香体は、園芸用の軽石に質量比１３．６の芳香液を滴下することで製造した。
【００２５】
また、実施例２の芳香体は、入浴用の軽石に質量比３．１の芳香液を滴下することで製造した。実施例４の芳香体は、入浴用の軽石に質量比６．８の芳香液を滴下することで製造した。実施例６の芳香体は、入浴用の軽石に質量比１．８の芳香液を滴下することで製造した。比較例６の芳香体は、入浴用の軽石に質量比１３．６の芳香液を滴下することで製造した。
【００２６】
また、実施例７の芳香体は、木炭に質量比６．８の芳香液を滴下することで製造した。比較例１の芳香体は、木炭に質量比１．８の芳香液を滴下することで製造した。
また、実施例８の芳香体は、素焼きに質量比６．８の芳香液を滴下することで製造した。比較例２の芳香体は、素焼きに質量比１．８の芳香液を滴下することで製造した。
【００２７】
また、実施例９の芳香体は、煉瓦に質量比６．８の芳香液を滴下することで製造した。比較例３の芳香体は、煉瓦に質量比１．８の芳香液を滴下することで製造した。
また、実施例１０の芳香体は、木片に質量比６．８の芳香液を滴下することで製造した。比較例４の芳香体は、木片に質量比１．８の芳香液を滴下することで製造した。
【００２８】
続いて、実施例１〜１０および比較例１〜６の芳香体の消費期間を確認した。この確認では、次のように、Ａ、Ｂ、Ｃ、Ｄ、Ｅ判定の５段階評価を行った。すなわち、芳香を楽しめる期間が１０日以上の場合にＡ判定とし、２４時間以上１０日未満の場合にＢ判定とし、６時間以上２４時間未満の場合にＣ判定とし、２時間以上６時間未満の場合にＤ判定とし、２時間未満の場合にＥ判定とした。
【００２９】
確認の結果を、表１の第２行目第２列〜第７行目第５列に示した。
これによれば、実施例１〜４の芳香体はＡ判定であり、実施例５、６の芳香体はＢ判定であった。また、実施例７、８の芳香体はＣ判定であり、実施例９、１０の芳香体はＤ判定であった。一方、比較例１、２の芳香体はＤ判定であり、比較例３〜６の芳香体はＥ判定であった。
【００３０】
以上により、実施例１〜６と、実施例７〜１０および比較例１〜４との対比により、軽石を使用した芳香体は、他の多孔体を使用した芳香体よりも消費期間が長くなった。また、実施例１、３と実施例５との対比、実施例２、４と実施例６との対比、実施例７と比較例１との対比、実施例８と比較例２との対比、実施例９と比較例３との対比、実施例１０と比較例４との対比、実施例１、３と比較例５との対比、および、実施例２、４と比較例６との対比により、芳香液におけるエタノールと水との質量比（エタノール／水）を２〜１０の範囲内とした芳香体は、２〜１０の範囲外とした芳香体よりも消費期間が長くなった。
【００３１】
〔実施例１１〜２３〕
次に、実施例１１〜２３の芳香体について説明する。
実施例１１〜２３の芳香体は、ラベンダー以外の市販の天然オイルを採用するとともに、多孔体として園芸用の軽石を採用し、天然オイルの芳香成分を軽石に保持させたものである。なお、軽石は、実施例１〜１０と同様に、石鹸により洗浄して使用した。
【００３２】
まず、実施例１１〜２３の芳香体に採用した天然オイルは、それぞれ、イランイラン（実施例１１）、ベンゾイン（実施例１２）、ロータス（実施例１３）、ローズ（実施例１４）、バニラ（実施例１５）、クローブ（実施例１６）、ミルラ（実施例１７）、ゾラベッツ（実施例１８）、ジャスミン（実施例１９）、ヤロウ（実施例２０）、パチュリー（実施例２１）、サンダルウッド（実施例２２）、ネロリ（実施例２３）である。
実施例１１〜２３の芳香体に採用した天然オイルは、香りが強く粘性が高いものである。
【００３３】
また、実施例１１〜２３に使用した芳香液は、実施例１〜１０の芳香液と同様にして調整した。なお、実施例１１〜２３では、芳香液におけるエタノールと水との質量比を、全て、１．８（７／３）とした（括弧内の比は、９９．５ｖｏｌ％のエタノール水溶液の体積と精製水の体積との体積比である。）。
そして、実施例１〜１０と同様に、Ａ〜Ｅ判定の５段階評価により、芳香体の消費期間を確認したところ、実施例１１〜２３の芳香体は全てＡ判定であった。
【００３４】
〔実施例２４〜４１〕
次に、実施例２４〜４１の芳香体について説明する。
実施例２４〜４１の芳香体も、ラベンダー以外の市販の天然オイルを採用するとともに、多孔体として園芸用の軽石を採用し、天然オイルの芳香成分を軽石に保持させたものである。なお、軽石は、実施例１〜１０と同様に、石鹸により洗浄して使用した。
【００３５】
まず、実施例２４〜４１の芳香体に採用した天然オイルは、それぞれ、ペパーミント（実施例２４）、ティートゥリー（実施例２５）、ユーカリ（実施例２６）、プチグレイン（実施例２７）、ローズマリー（実施例２８）、シナモン（実施例２９）、カモシールローマン（実施例３０）、カモシールジャーマン（実施例３１）、ゼラニウム（実施例３２）、フェンネル（実施例３３）、マジョラム（実施例３４）、レモングラス（実施例３５）、メリッサ（実施例３６）、クラリセージ（実施例３７）、シダーウッド（実施例３８）、ローズウッド（実施例３９）、フランキンセンス（実施例４０）、ジュニパー（実施例４１）である。
【００３６】
実施例２４〜４１の芳香体に採用した天然オイルは、実施例１１〜２３の天然オイルよりも香りが弱く粘性も低いものである。なお、実施例１〜１０に採用したラベンダーは、香りおよび粘性が実施例２４〜４１に採用した天然オイルと同等である。
【００３７】
また、実施例２４〜４１に使用した芳香液は、実施例１〜１０の芳香液と同様にして調整した。なお、実施例２４〜４１では、芳香液におけるエタノールと水との質量比を、全て、３．１（８／２）とした（括弧内の比は、９９．５ｖｏｌ％のエタノール水溶液の体積と精製水の体積との体積比である。）。
そして、実施例１〜１０と同様に、Ａ〜Ｅ判定の５段階評価により、芳香体の消費期間を確認したところ、実施例２４〜４１の芳香体は全てＡ判定であった。
【００３８】
〔実施例４２〜４７〕
次に、実施例４２〜４７の芳香体について説明する。
実施例４２〜４７の芳香体も、ラベンダー以外の市販の天然オイルを採用するとともに、多孔体として園芸用の軽石を採用し、天然オイルの芳香成分を軽石に保持させたものである。なお、軽石は、実施例１〜１０と同様に、石鹸により洗浄して使用した。
【００３９】
まず、実施例４２〜４７の芳香体に採用した天然オイルは、それぞれ、ユズ（実施例４２）、グレープフルーツ（実施例４３）、レモン（実施例４４）、オレンジ（実施例４５）、ベルガモット（実施例４６）、ダンジェリン（実施例４７）である。
実施例４２〜４７の芳香体に採用した天然オイルは、実施例２４〜４１の天然オイルよりも香りが弱く粘性も低いものである。
【００４０】
また、実施例４２〜４７に使用した芳香液は、実施例１〜１０の芳香液と同様にして調整した。なお、実施例４２〜４７では、芳香液におけるエタノールと水との質量比を、全て、６．８（９／１）とした（括弧内の比は、９９．５ｖｏｌ％のエタノール水溶液の体積と精製水の体積との体積比である。）。
そして、実施例１〜１０と同様に、Ａ〜Ｅ判定の５段階評価により、芳香体の消費期間を確認したところ、実施例４２〜４７の芳香体は全てＡ判定であった。